(57)【要約】【課題】望ましくない“プル−アウト”作用を回避してより拡張した、改良された同期式オフィスチェアを形成する。【解決手段】同期式オフィスチェアは、支持部材１と、フランジ５を有する支持部材１にチルト軸４で接合された着座ベース２と、後部ブラケット６を有する背もたれ３とにより構成されている。後部ブラケット６は、第１〜第３カムトラック７、８、９を備えており、支持部材１と着座ベース２との間に係合されている。着座ベース２と背もたれ３は、同期して動く。フランジ５に取り付けられた第１ローラベアリング１０は、第１カムトラック７に係合され、着座ベース２に取り付けられた第２ローラベアリング１１は、第２カムトラック８に係合され、支持部材１に取り付けられた第３ローラベアリング１２は、第３カムトラック９に係合される。【選択図】  図１
2008093447.tif 000002
【特許請求の範囲】
【請求項１】
−支持支柱に強固に連結される支持部材（１）と、
−前記支持部材（１）にチルト軸（４）で接合された着座ベース（２）、および、前記着座ベース（２）に強固に連結されたフランジ（５）と、
−背もたれ（３）、および、前記背もたれ（３）と強固に連結された後部ブラケット（６）とを備えており、前記後部ブラケット（６）は、
‐‐第１カムトラック（７）と、
‐‐第２カムトラック（８）と、
‐‐第３カムトラック（９）とを有しており、
‐‐前記背もたれ（３）の後部ブラケット（６）が支持部材（１）と着座ベース（２）との間の隙間に係合されていると共に、着座ベース（２）のフランジ（５）が後部ブラケット（６）に係合されており、
さらに、フランジ（５）を有する着座ベース（２）と、後部ブラケット（５）を有する背もたれ（３）とが同期して動くよう形成されており、さらに、オフィスチェアの同期に関して、
−第１ローラベアリング（１０）が、着座ベース（２）のフランジ（５）に取り付けられ、後部ブラケット（６）の第１カムトラック（７）に係合されて、オフィスチェアの同期した動きが第１カムトラック（７）で案内され、
−第２ローラベアリング（１１）が、着座ベース（２）に取り付けられ、後部ブラケット（６）の第２カムトラック（８）に係合されて、オフィスチェアの同期した動きが第２カムトラック（８）で案内され、
−第３ローラベアリング（１２）が、支持部材（１）に取り付けられ、後部ブラケット（６）の第３カムトラック（９）に係合されて、オフィスチェアの同期した動きが第３カムトラック（９）で案内され、
オフィスチェアの同期した動きは、
−着座ベース（２）がフランジ（５）とともにチルト軸（４）回りの第１傾動を行い、
−背もたれ（３）が後部ブラケット（６）とともに仮想軸（１３）周りに第１傾動の２〜３倍の大きさの第２傾動を行って同時に並進移動し、
−仮想軸（１３）回りの第２傾動の瞬間的な回転中心が着座ベース（２）の後方中央部分の上方同じ距離で位置する
ように形成された同期式オフィスチェア。
【請求項２】
同期した動きを制限停止させて傾動を止める形式の装置、および／または、同期した動きを阻止する初張力の形式の装置であることを特徴とする請求項１に記載の同期式オフィスチェア。
【請求項３】
前記初張力のための初荷重を加えるリーフスプリング（２０）が支持部材（１）に少なくとも取付けられており、
−少なくとも一つのリーフスプリング（２０）が、その第１リーフスプリング端部（２５）を支持部材（１）のチルト軸（４）の領域に固定されているとともに、その第２リーフスプリング端部（２６）を着座ベース（２）の後方中央部分の領域の下方に移動可能に付勢された状態で配置されており、
−着座ベース（２）の後方中央部でリーフスプリング（２０）が回転または摺動する支持装置（２１）の手段によって着座ベース（２）が支持されまたは支持可能となっており、支持面（２３）で回転または摺動するベアリング（２３）を備えており、少なくとも一つのリーフスプリング（２０）が支持されて、支持面（２３）をベアリング（２２）が移動することによって前記初荷重が付与されることを特徴とする請求項２に記載の同期式オフィスチェア。
【請求項４】
前記ベアリング（２２）がベベルギア駆動装置（２７）の手段によって位置決め可能となっていることを特徴とする請求項３に記載の同期式オフィスチェア。
【請求項５】
少なくとも一つのリーフスプリング（２０）が、グラスファイバーを一方向に配列してなるグラスファイバー樹脂複合材料からなることを特徴とする請求項３または４に記載の同期式オフィスチェア。
【請求項６】
支持部材（１）の歯車セグメント（４０）と、制限停止ディスク（４３）とスナップインレバー（４４）とともに有する歯車（４２）が取付けられた着座ベース（２）の傾動機構ホルダ（４１）とを備えており、
−歯車（４２）が、歯車セグメント（４０）に係合されて、同期した動きをするときに歯車セグメントを上下に移動可能となっており、
−歯車（４２）が歯車制限止め部（４５）を備えており、
−制限止めディスク（４３）がディスク制限止め部（４６）を備えており、
−歯車（４２）と制限止め部（４６）が共軸で支持されているとともに軸（４８）に少なくとも部分的に互いに回転可能となっており、
−制限止めディスク（４３）が傾動機構ホルダ（４１）に対して相対的に選択可能に回転するスナップインレバー（４４）の手段によってロック可能であり、
制限止めディスク（４３）の選択可能な回転位置が、歯車の制限止め部（４５）とディスクの制限止め部（４６）とが互いに接触するよう移動して、着座ベース（２）または背もたれ（３）を所望の傾動位置にして、同期した動きを制限することが可能であることを特徴とする請求項２に記載の同期式オフィスチェア。
【請求項７】
スナップインレバー（４４）は、作動装置によって制限止めディスク（４３）から解放することが可能となっているとともに、制限止めディスクの選択可能な回転位置が着座ベース（２）または背もたれ（３）の傾動位置と対応してスナップインレバーが制限止めディスク（４３）に再び係合できるようになっていることを特徴とする請求項６に記載の同期式オフィスチェア。
【発明の詳細な説明】
【技術分野】
【０００１】
本発明は、請求項１と対応する同期式のオフィスチェアに関する。
【背景技術】
【０００２】
一般に、座面と背もたれとが連動できる同期式オフィスチェアのような着座用家具が注目されている。オフィスチェアは、背もたれ部分の傾きが座面の比較的小さい傾きと連動するように構成されている。
【０００３】
本発明は、特に、基本的に３つの主な部品により同期式オフィスチェアの動きを発生するよう相互作用する同期式オフィスチェアに関する。３つの主な部品は、支持支柱に取付けられるもので、支持支柱に強固に連結される支持部材と、支持部材とチルト軸で接合される着座ベースと、支持部材と着座ベースとに連結される背もたれとにより構成されている。チルト軸は、座表面の前方領域の下方に、つまり、座った人の膝の領域に配設されている。
【０００４】
同期機構の特徴を描く多くの同期式オフィスチェアは、既に公知となっており、例えば特許文献１や特許文献２に開示されている。
【０００５】
【特許文献１】米国特許第５３５４１２０号公報
【特許文献２】米国特許第６４３１６４９号公報
【発明の開示】
【発明が解決しようとする課題】
【０００６】
しかしながら、これらの従来の技術では、ほとんど座表面と背もたれとの同期した動きが、座表面に“プル−アウト”作用が発生するなどの接合機構により構成されており、人間工学的に都合悪く設計されていた。実際には、座っている人がもたれかかると、シャツがある程度ズボンから引張れられるという、公知の作用であることが理解されている。その結果、座表面と背もたれとの連動、すなわち（少なくとも相対的な）同期式の動きが、相互に都合悪く調整されている。
【０００７】
本発明の目的は、望ましくない“プル−アウト”作用を回避してより拡張した、改良された同期式オフィスチェアを形成することにある。
【課題を解決するための手段】
【０００８】
この本発明の目的は、請求項１で特徴とする組み合わせによって達成される。
【０００９】
さらに、改良された同期機構は、−同期した動きを制限するための充分に統一することが可能な装置でもあるが、傾動を制限し止める形式のものであることを詳細に記されるべきであり、また、初張力の形式のものであることを詳細に記されるべきである。
【００１０】
そのため、本発明の同期式オフィスチェアは、以下のような基本的な部品で構成されている。
−支持支柱に強固に連結される支持部材と、
−支持部材とチルト軸で接合される着座ベース、および、この着座ベースに強固に連結されたフランジと、
−背もたれ、および、この背もたれと強固に連結された後部ブラケットとを備えており、
‐‐第１カムトラックと、
‐‐第２カムトラックと、
‐‐第３カムトラックとを有しており、
‐‐前記後部ブラケットが支持部材と着座ベースとの間の隙間に係合されており、前記着座ベースのフランジが前記後部ブラケットに係合されており、さらに、着座ベースが前記着座ベースのフランジと背もたれの後部ブラケットが同期して動くよう形成されている。
【００１１】
さらに、本発明の同期式オフィスチェアの場合は、
−第１ローラベアリングが着座ベースのフランジに取り付けられており、後部ブラケットの第１カムトラックと係合されて、オフィスチェアの同期した動きが第１カムトラックにより案内され、
−第２ローラベアリングが着座ベースに取付けられており、後部ブラケットの第２カムトラックに係合されて、オフィスチェアの同期した動きが第２カムトラックにより案内され、
−第３ローラベアリングが支持部材に取付けられており、後部ブラケットの第３カムトラックに係合されて、オフィスチェアの同期した動きが第３カムトラックにより案内される。
【００１２】
同期式のオフィスチェアの同期した動きは、以下に述べるような部品で構成される手段によって形成される。
‐着座ベースがフランジとともにチルト軸回りの第１傾動を行い、
‐背もたれが後部ブラケットとともに仮想軸回りの第２傾動を第１傾動の２から３倍の大きさで行って同時に並進移動し、
‐仮想軸回りの第２傾動の瞬間的な回転中心が着座ベースの後方中央部分の上方に同じ距離で位置している。
【００１３】
この解決の利点は、特に複雑なレバー機構を省くことができ、また、特に“プル‐アウト”効果を避けるという主な目的が達成されることにある。この目的は、たった２つの移動可能な部品、すなわち着座ベースと背もたれによって既に達成することができている。
【００１４】
同期した動き、すなわち、着座ベースと背もたれのレールガイドされた相対的な動きは、カムトラック内で案内するローラベアリングを介して達成される。ここで開示されたローラベアリングとカムトラックとの配置は、仮想軸の回りに背もたれが回転する瞬間的なチルト運動が着座ベースの後方中央部分の上方に同じ距離で常に維持されるという効果を有する。人が同期式オフィスチェアに座って後にもたれるために、体の回転中心と仮想軸回りの傾動する背もたれの瞬間的な回転中心を、徹底して広範囲にわたって維持することが、目的の追求に導くことになる。
【００１５】
既に述べたように、改良された同期機構は、同期した動きを抑制するための、すなわち初荷重を形成するための装置と充分に結合される。この目的は、着座ベースと背もたれの緩衝作用を、非常に重い人と同様に非常に軽い人のためにも最善に都合よく調整可能とし、また、非常に確かで丈夫なものとすることにより達成することができる。本願では、調整可能な支持部材にリーフスプリングを使用しているのと同様に、支持部材を移動させたり位置決めするための駆動にベベルギヤを採用しているが、単純な機械的設計だけでなく、目的によって所望のものも採用することができる。
【００１６】
リーフスプリングは、必要な機械的特性、特に耐久性も備えた、グラスファイバーを位置方向に配列してなるグラスファイバー複合材料製のものが、特にこれまでに試されてきた。鋼スプリングや同様の他の材料は、疲労破壊が非常に早い傾向にあり、また、非常に軽い人から非常に重い人まで全ての範囲の使用者に対応するためには充分な寸法でなくなる。
【００１７】
既に述べたように、改良された同期機構は、同期した動きを制限するための、すなわち傾動を制限し止める形式の装置と充分に結合される。本発明の同期式オフィスチェアの使用者が最大の背もたれや着座ベースの傾動を各々容易にセットし変更することができるようにすべきである。さらに、支持部材上の歯車セグメントは勿論のこと、着座ベース上の傾動機構ホルダの制限止めディスクやスナップインレバーを備えた歯車も、スナップインレバーを作動させる駆動装置も、単純で確かな機構設計が求められている。上述した傾動を制限止めするための要素は、実際には、―係合する制限止め部をセットする―歯車セグメントを移動する歯車となっており、特に歯車セグメントに配置された全トラックの中のトラックセクションでのみ移動する。スナップインレバーが制限止めディスクに係合していない場合には、歯車セグメントに配置されたトラックの全てを使用することができる。使用者は、たとえば、制御ケーブルを介して押しボタンの手段によって制限止めディスクからスナップレバーを解除して、新たな制限止め位置を探すために、任意の傾動位置（同期移動の全範囲で可能である）に同期式オフィスチェアを後方に傾けることができる。このようにして、非常に単純で適当な操作がここで達成される。
【００１８】
本発明のオフィスチェアの例示的な実施の形態を図に基づいて以下に説明する。
【００１９】
図１は、支持部材１と、傾きの角度が０度の状態の着座ベース２および背もたれ３とを有する同期式オフィスチェアの側面図を示したものである。これら３つの“主な部品”のうちの２つ、つまり着座ベース２と背もたれ３は、同期した動きが起きるように運動可能となっている。図１（図２も同様である）は、主な部品の主要な配置を説明するために示したもので、その部品である支持部材１と着座ベース２と背もたれ３は図３〜５に斜視図で形状が示されている。
【００２０】
支持部材１は、支持支柱（図示していない）に強固に連結されている。支持支柱は、オフィスチェアの定型的な手法でオフィスチェアの脚に取り付けることができる。着座ベース２は、支持部材１のチルト軸４に接合されている。着座ベース２は、背もたれ３の後方および上方に延びるフランジ５を備えていることを特徴とする。着座ベース２とフランジ５は、互いに強固に連結されている。背もたれ３は、着座ベース２の下方および前方に延びる後部ブラケット６を備えていることを特徴とする。背もたれ３と後部ブラケット６は、同様に互いに強固に連結されている。背もたれ３の後部ブラケット６は、支持部材１と着座ベース２との間の隙間に係合されており、また、着座ベース２のフランジ５は、後部ブラケット６に係合されている。
【００２１】
後部ブラケット６は、第１カムトラック７と、第２カムトラック８と、第３カムトラックとを備えていることを特徴とする。
【００２２】
カムトラック７、８、９は、同期式オフィスチェアの前方および上方に立った人の視点から見て略円弧状に凹設されている。さらに、第２および第３カムとラック８、９は、側面図において（図示したように）互いに重なるように近接して配置されている。
【００２３】
第1ローラベアリング１０は、着座ベース２のフランジ５に取り付けられ、後部ブラケット６の第１カムトラック７に係合されており、オフィスチェアの同期した動きは第１カムトラック７で案内される。
【００２４】
第２ローラベアリング１１は、着座ベース２に取り付けられ、後部ブラケット６の第２カムトラック８に係合されており、オフィスチェアの同期した動きは第２カムトラック８で案内される。
【００２５】
第３ローラベアリング１２は、支持部材１に取り付けられ、後部ブラケット６の第３カムトラック９に係合されており、オフィスチェアの同期した動きは第３カムトラック９で案内される。
【００２６】
いま、使用者が同期式オフィスチェアに座って後方にもたれかかると、着座ベース２と背もたれ３は、上述した同期した動きを行う。着座ベース２は、フランジ５とともにチルト軸４に対して第１傾動する。背もたれ３は、後部ブラケット６とともに仮想軸１３に対して第１傾動の２〜３倍の大きさで第２傾動する。これと同時に、背もたれ３は、後部ブラケット６とともに下方および前方にも移動する。同期して動くときに、仮想軸１３に対する第２傾動の瞬間的な回動は、着座ベース２の後方中央の上と同じ距離に基本的に維持される。このことは、図１と図２が同じ縮尺で示されていることにより明らかである。したがって、着座ベース２と背もたれ３の動きは、相互にレールガイドされ、互いに連動して、同期した動きと言われる所以となる。仮想軸１３の位置は、本発明の同期式オフィスチェアに座る人の骨盤のピボットと基本的に常に対応するように選択される。
【００２７】
同期して動くときに、仮想軸１３に対する第２傾動の瞬間的な回動が基本的に常に着座ベース２の後方中央部分上で同じ距離に維持される、本発明の同期式オフィスチェアの特性は、同期機構の上述した設計、特にカムトラック７、８、９と、ローラベアリング１０、１１、１２の配置によって達成される。当初に述べた“プルアウト”効果は、発生しないか、または最小限となる。
【００２８】
図２は、着座ベース２が図１から１１度の角度で傾斜した同期型オフィスチェアの側面図である。ここでは、背もたれ３が後部ブラケット６とともに下方に且つ前方に移動配置されて、同時に仮想軸１３に対して回動していることが明確に見える。図には、仮想軸１３の瞬間的な位置も示されている。仮想軸１３の着座ベース２の上エッジに対する位置がほとんど変化しないことが見て取れる。
【００２９】
ここでは（図１にも見られる）、支持部材１の第３ローラベアリング１２の静止位置が明確に見える。同様に（再び図１に関して）、着座ベース２の第２ローラベアリング１１の静止位置が明確に見える。
【００３０】
図３は、図１の支持部材１を説明するために上後方から見た斜視図である。ここでは、第３ローラベアリング１２が特に明確となっている。
【００３１】
図４は、図１の着座ベース２を説明するために上前方から見た斜視図である。
【００３２】
図５は、図１の背もたれ３を説明するために上前方から見た斜視図である。第１、第２、および第３カムトラックがここでは特に明確となっている。
【００３３】
図６は、支持部材１と着座ベース２が初荷重の要素の第１の配置にあるときの側面図である。初荷重の大部分の重要な要素は、少なくともリーフスプリング２０と、支持装置２１と、ベアリング２２と、支持表面２３と、支持面２３上でベアリング２２のための位置決め装置２４とからなる。
【００３４】
少なくとも一つのリーフスプリング２０が、初期プレテンション力を発生させて、第１リーフスプリング端部２５を支持部材１のチルト軸４領域に固定されている。第２（反対側）リーフスプリング端部２６は、バネ荷重によって垂直方向に移動するよう着座ベース２の後方中央部分の下に位置決めされている。着座ベース２の後方中央の、単数または複数のリーフスプリング上を回転あるいは摺動する部分に固定された支持装置２１の手段によって着座ベース２を支持することができる。少なくとも一つのリーフスプリング２０は、支持面２３上を回転あるいは摺動するベアリング２２に支持されている。支持面２３上でベアリング２２を摺動または位置決めすることによって、初荷重の力−すなわち着座ベース２の第1傾動を中和する力−は、無限に（無段階で）可変させて調整することができる。
【００３５】
支持面２３上のベアリング２２のための位置決め装置２４は、異なる方法で設計されており、駆動軸がチルト軸４と共軸で配置されたベベルギヤ駆動装置２７を介して調整可能であるという利点がある。
【００３６】
少なくとも一つのリーフスプリング２０は、グラスファイバーを一方向に配列してなるグラスファイバー樹脂複合材料からなることが好ましい。これらの（今日の一般的な）材料の機械的な強度特性と信頼性は、非常に軽い人から非常に重い人に至るまで、全適用範囲をカバーすることができる範囲の力の助けとすることができるような明確な初荷重のリーフスプリングを設計するのに適切である。
【００３７】
図７は、初荷重の要素をさらに明確に示したものである。ここでは２つの平行なリーフスプリング２０を備えた初荷重の要素が図示されているが、このリーフスプリング２０を支持する手段は、本質的に円筒形の摺動ベアリング２２形式のものであり、２つのベアリング２２は、支持面２３（図６を参照）のベベルギア駆動装置２７を介して軸２８とねじスピンドル２９とからなる手段によって摺動し位置決めすることができる。ベアリングが回転可能であることは明白である。
【００３８】
図８は、図１の初荷重の要素の斜視図である。リーフスプリング２０の第１リーフスプリング端部２５を保持し固定する樹脂製インサート３０がベベルギア駆動装置２７のほかにさらに示されている。ねじスピンドル２９は、ベベルギア駆動装置２７を介してクランク手段３１によって回転することが可能である。ねじスピンドル２９が軸２８のねじ穴に案内されるため、支持面２３のベアリング２２の位置がクランク３１を回転させることによって移動させることができ、−このようにして初荷重の力を調整する。
【００３９】
図９は、支持部材１と着座ベース２を傾動制限止め要素の主な配置とともに示した側面図である。大部分の重要な傾動制限止め要素は、支持部材１に取付けられる歯車セグメント４０と、着座ベース２に取付けられる傾動機構ホルダ４１とを含んでいる。傾動機構ホルダ４１は、歯車４２と、制限止めディスク４３と、スナップインレバー４４とを含んでいる。着座ベース２がチルト軸４に対して傾動するときには、歯車４２が歯車セグメント４０を所定の距離−ここでは円弧状のセグメントの経路に沿って自然に移動する。この実施の形態で例示的に示した円弧状のセグメントにおける距離は、傾動制限止め部が一杯に解放された状態（非活動状態）で、最大で１１度（角度）である。（幾何学的な関係の下で円弧状セグメントが小さいために）歯車４２は、歯車セグメント４０を転動するときに完全に回転しないことから、歯を全周にわたって備える必要がない。傾動を制限止めするのにともなって、歯車セグメント４０上での歯車４２の転動は、所定の回転位置でブロックされる。傾動の制限止めは、たとえば制御ケーブルを介して押しボタン手段によってスナップインレバー４４を作動することが可能な手段により作動／非作動が行われる。たとえばリンク機構など他の動作機構は、当業者に公知であり、代替として使用できることは明らかである。
【００４０】
傾動を制限止めするための構成と作動モードを、図１０（ａ）および図１０（ｂ）を使用して詳細に説明する。図９と図１０は、反対側から見た図を示したにすぎず、機能的な原理は如何なる変更もしていない。
【００４１】
図１０（ａ）は、傾動の制限止め要素が０度の角度の位置にあるときを示したものである（この状態では、着座ベース２のチルト軸４に対する最大の傾動角度は０度に設定されている）。同期式オフィスチェアの残りの部品は、本発明の本質的な機能の要素に集中するため、図示を省略した。
【００４２】
傾動機構ホルダ４１の部品、すなわち歯車４１と、制限止めディスク４３およびスナップインレバーは、以下の例示的に示した実施の形態のように構成されている。
−歯車４２は、その制限止め部４５に特徴がある。既に述べたように、歯車は、その全周にわたって歯を形成する必要がない。歯車の制限止め部４５は、この場合、第1歯の歯元の面によって形成されており、歯車に強固に接続される制限止め部とは分離することができる。
−制限止めディスク４３は、制限止めディスク部４６に特徴がある。制限止めディスク部４６は、歯車の制限止め部４５の制限を止めるように支持部材１に形成されている。制限止めディスク４３は、その周面に沿って配列されたグリッド歯４７を備えていることを特徴とする。前述したのと同様に、グリッド歯４７は、制限止めディスク４３の制限止めディスク部４６の全周にわたって備えている必要はなく、制限止めディスク部４６から離れて設けられている。
−歯車４２と制限止めディスク４３は、共軸となっており、傾動機構ホルダ４１の着座ベース２に取り付けられた軸４８に少なくとも部分的に互いに回転可能に支持されている。少なくとも部分的に互いに捩れる可能性は、歯車の制限止め部４５と制限止めディスク部４６とが互いに接触した場合（ここでの場合）に起こり得る。
−スナップインレバー４４は、傾動機構ホルダ４１のスイベル軸４９に支持され、制限止めディスク部４６のグリッド歯４７のデテントカム５０に係合されている。スナップインレバー４４は、グロメット５１を介してケーブルを引張る手段（図示はしていない）により作動させることができる。
【００４３】
図１０（ａ）は、着座ベース２（図示していない）の傾動角度が０度（チルト軸４回りの傾動）の状態を示したものである。スナップインレバー４４のデテントカム５０が制限止めディスク４３のグリッド歯４７に係合して制限止めディスク４３の回転を妨げるので、傾動の制限止め部が作動する。同期式オフィスチェアに人が座ると、歯車４２が歯車セグメント４０を下がり半時計回りに回転する。このような動きは、この場合、歯車の制限止め部４５と制限止めディスク部４６が接触してブロックされることによるものである。
【００４４】
上述したように接触した状態では、傾動制限止め要素が非作動の場合、スナップインレバー４４のデントカム５０は、制限止めディスク４３のグリッド歯４７に係合していない。そのため、傾動制限止め要素が非作動のときに同期式オフィスチェアの使用者が後に寄りかかることができ、たとえば、着座ベース２が６度の角度（チルト軸４回りの傾斜）で傾斜し、歯車４２と制限止めディスク４３が図１０（ｂ）に示した位置に到達する。もし、同期式オフィスチェアの使用者が所望の最大傾動位置にしたい場合には、スナップインレバー４４をデテントカム５０とともにその位置に操作して制限止めディスクのグリッド歯４７に係合させて、その位置に傾動制限止め要素をさらに作動させることができる。この状態は、図１０（ｂ）に示されている。
【００４５】
図１０（ｂ）は、傾動制限止め要素が６度の角度で傾動した状態（この場合には、チルト軸４回りに着座ベース２の最大傾動角度が６度にセットされた状態である）を示したものである。スナップインレバー４４のデテントカム５０が制限止めディスク４３のグリッド歯４７に係合して、制限止めディスク４３の回転が阻止されているため、傾動制限止め要素が作動される。しかしながら、軸４８に対して歯車４２と制限止めディスク４３が少なくとも部分的に互いに回転可能に取付けられているため、着座ベース２は、この場合には角度が０〜６度の間の傾斜範囲で傾動することが可能となっている。もし、図１０（ｂ）に例示された傾斜角度を減少させたい場合には、歯車４２と制限止めディスク４３との間の相対的な回転が制限止め部４５と制限止めディスク部４６によって抑制されているため、歯車セグメント４０上で歯車４２が時計回り方向に回転する。したがって、上述した傾動制限止め要素は、同期した動きを制限する手段として働く、すなわち、同期した動きを着座ベース２の所望の傾動位置に、また、背もたれ３を制限止めディスク４３の選択可能な回転位置と対応させた位置に、制限することができる。
【００４６】
本発明の傾動制限止め要素の形状や構成は、図に例示的に示した実施の形態と一致させる必要はない。制限止め部４５を備えた歯車４２や、制限止めディスク部４６を備えた制限止めディスク４３は、たとえば、一体で製作しなければならないことはなく、また、歯車４２や制限止めディスク４３は、その周囲の一部分だけに歯を形成する必要もない。
【００４７】
傾動制限止め要素と初荷重装置の双方は、本発明の同期した動きに設計されたオフィスチェアに使用するのに全体的に特に適している。傾動制限止め要素は、任意であることが許容されており、特に、初荷重が非常に大きな設定範囲であるが、ほとんどが平易であることにより、大部分に充分に適切であり、単純な手段で同期した動きの制限を容易に行う。
【００４８】
この例示的な実施の形態の初期に既に述べたように、着座ベース２とフランジ５は、背もたれ３と後部ブラケット６のように、互いに強固に連結されている。これらの各部品を異なる部品を組み立てたり単一の部材から製作したものとするなどの各部品を設計する努力無しに可能であることは、明白である。
【図面の簡単な説明】
【００４９】
【図１】支持部材と着座ベースと背もたれとを備えており、着座ベースの傾動の角度が０度の状態の同期式オフィスチェアの側面図である。
【図２】着座ベースの傾動の角度が１〜１１度の状態の、同期式オフィスチェアの側面図である。
【図３】図１の支持部材を上方から見た斜視図である。
【図４】図１の着座ベースを上方から見た斜視図である。
【図５】図１の背もたれを前方から見た斜視図である。
【図６】支持部材と着座ベースを初荷重要素の主要な配置とともに示した側面図である。
【図７】初荷重の要素を説明するために示した斜視図である。
【図８】支持部材を、初荷重の要素とともに示した斜視図である。
【図９】支持部材と着座ベースを、傾動制限止め要素とともに示した斜視図である。
【図１０】傾動制限止め要素の角度が０度の位置の状態（ａ）と、６度の位置の状態（ｂ）を示した図である。
【符号の説明】
【００５０】
１：支持部材、  ２：着座ベース、  ３：背もたれ、  ４：チルト軸、  ５：フランジ、  ６：後部ブラケット、  ７：第１カムトラック、  ８：第２カムトラック、  ９：第３カムトラック、  １０：第１ローラベアリング、  １１：第２ローラベアリング、  １２：第３ローラベアリング、  １３：仮想軸、  ２０：リーフスプリング、  ２１：支持装置、  ２２：ベアリング、  ２３：支持面、  ２４：位置決め装置（ベアリング用）、  ２５：第１リーフスプリング端部、  ２６：第２リーフスプリング端部、  ２７：ベベルギア駆動装置、  ２８：軸、  ２９：ねじスピンドル、  ３０：樹脂製インサート、  ３１：クランク、  ４０：歯車セグメント、  ４１：傾動機構ホルダ、  ４２：歯車、  ４３：制限止めディスク、  ４４：スナップインレバー、  ４５：歯車の制限止め部、  ４６：制限止めディスク部、  ４７：グリッド歯、  ４８：軸、  ４９：スイベル軸、  ５０：グロメット
【図１】
2008093447.tif 000003
【図２】
2008093447.tif 000004
【図３】
2008093447.tif 000005
【図４】
2008093447.tif 000006
【図５】
2008093447.tif 000007
【図６】
2008093447.tif 000008
【図７】
2008093447.tif 000009
【図８】
2008093447.tif 000010
【図９】
2008093447.tif 000011
【図１０】
2008093447.tif 000012